(57)【特許請求の範囲】
【請求項１】
複数のレンズにより構成されたレンズシートと、前記レンズシートの前記レンズの凸形状を有しない面に配置され、前記レンズと作用して虚像を表示させる複数の表示用画像が形成された画像形成媒体により構成された画像表示体であって、
前記画像形成媒体を含む移動体と、
当該移動体の縁部に配置され、加圧され伸長した際に、当該移動体に当接して該移動体を一の方向に押動かして移動させる一の弾性体と、
を備えることを特徴とする画像表示体。
【請求項２】
複数のレンズにより構成されたレンズシートと、前記レンズシートの前記レンズの凸形状を有しない面に配置され、前記レンズと作用して虚像を表示させる複数の表示用画像が形成された画像形成媒体により構成された画像表示体であって、
前記レンズシートを含む移動体と、
当該移動体の縁部に配置され、加圧され伸長した際に、当該移動体に当接して該移動体を一の方向に押動かして移動させる一の弾性体と、
を備えることを特徴とする画像表示体。
【請求項３】
前記一の弾性体に前記移動体を結合する結合部を備え、
前記移動体が前記一の方向に押動かされた後に、前記加圧が解除された場合に、
前記一の弾性体は、前記結合部を介して、前記移動体を前記一の方向の反対方向へ付勢して前記移動体を押動かして移動させることを特徴とする請求項１又は２に記載の画像表示体。
【請求項４】
前記移動体の前記縁部と対向する縁部に位置し、前記移動体が前記一の方向に押動かされた場合に、前記移動体に当接して、該移動体を前記一の方向の反対方向へ付勢する付勢機構を備えることを特徴とする請求項１又は２に記載の画像表示体。
【請求項５】
前記移動体は、
前記一の弾性体が伸長した際に、前記一の弾性体と当接して、該一の弾性体からの圧力を受ける一の補助部材を備えることを特徴とする請求項１乃至４のいずれか一項に記載の画像表示体。
【請求項６】
当該画像表示体が、前記移動体の前記縁部と対向する縁部に位置し、前記移動体が前記一の方向に押動かされた場合に、前記移動体に当接して、該移動体を前記一の方向の反対方向へ付勢する付勢機構を備える場合に、
前記移動体は、前記移動体が前記一の方向に押動かされた際に、前記付勢機構に当接して、前記一の方向の反対方向への付勢力を前記移動体に伝達する他の補助部材を備えることを特徴とする請求項４又は５に記載の画像表示体。
【請求項７】
前記移動体の移動方向に沿って、前記移動体の移動を直進保持するガイド部を備えることを特徴とする請求項１乃至６のいずれか一項に記載の画像表示体。
【請求項８】
前記虚像を観察可能な面上に、前記一の弾性体への加圧領域が明示されていることを特徴とする請求項１乃至７のいずれか一項に記載の画像表示体。
【請求項９】
前記移動体の縁部に、複数の前記一の弾性体を備え、
前記複数の一の弾性体は、少なくとも２種の異なる材質の弾性体を含むことを特徴とする請求項１乃至８のいずれか一項に記載の画像表示体。
【請求項１０】
前記一の弾性体は、ゴム材料又は熱可塑性エラストマーであり、
当該画像表示体が、前記移動体の前記縁部と対向する縁部に位置し、前記移動体が前記一の方向に押動かされた場合に、前記移動体に当接して、該移動体を前記一の方向の反対方向へ付勢する付勢機構を備える場合には、該付勢機構は、ゴム材料又は熱可塑性エラストマーであることを特徴とする請求項１乃至請求項９のいずれか一項に記載の画像表示体。
【発明の詳細な説明】
【技術分野】
【０００１】
本発明は、複数のレンズと複数の表示用画像に基づいた虚像を観察可能な画像表示体に関し、特に、指で加圧するだけで虚像を変化させて楽しむことができる画像表示体に関する。
【背景技術】
【０００２】
従来より、観察者の視覚を利用することによって、ムービング、チェンジング等の可変画像、又は、立体画像を観察できる画像表示の技術がある（特許文献１）。画像表示体は、複数のシリンドリカルレンズの配列により構成されたレンチキュラーシート、又は、複数の平凸レンズの配列により構成された平凸レンズシートと、絵柄、文字等の表示用画像が印刷された紙が、接着材で貼りあわされて一体化されたものである。一方で、特許文献２、３のように、レンズを備えた収納部等から構成されたカードケースがある。収納部に絵柄付きカードを入れて、可変画像、立体画像を観察するように構成されている。
【先行技術文献】
【特許文献】
【０００３】
【特許文献１】特許第５２２４４８９号公報
【特許文献２】特許第２８８９６１２号公報
【特許文献３】特許第３０３１６１１号公報
【発明の概要】
【発明が解決しようとする課題】
【０００４】
上記文献記載のカードケースでは、絵柄付きカードをカードケースの横方向から直接押し入れるものであり、指でカードの断面を押さなければならず、不安定である。また、カードの動かしかたが分かりづらい。さらに、操作者が直接カードを動かすため、意外性のある驚きも十分に付与することはできない。しかも、操作者各自のカードの動かしかたで絵柄の変化の様子が異なり、絵柄の変化が明瞭でない場合もある。さらには、レンズと表示用画像とを、相対的に、僅かだけ動かすことは非常に困難であるため、絵柄の変化をクリアに視認するには僅かだけ動かすことが必須である構成の場合に対応できず、観察できる虚像の種類が制限される。
【０００５】
本発明の目的は、このような問題等に鑑みて、操作者が所定部を（又は、所定加圧領域を）指で加圧するだけで、レンズと表示用画像との相対位置を僅かにずらすことを可能にし、安定性に優れ、虚像を変化させて楽しむことができる画像表示体を提供することにある。
【課題を解決するための手段】
【０００６】
本発明の画像表示体は、複数のレンズにより構成されたレンズシート、例えば、複数のシリンドリカルレンズの配列により構成されたレンチキュラーシート又は複数の平凸レンズの配列により構成された平凸レンズシートと、前記レンズシートの前記レンズの凸形状を有しない面に配置され、前記レンズと作用して虚像を表示させる複数の表示用画像が形成された画像形成媒体により構成された画像表示体であって、前記画像形成媒体を含む移動体と、当該移動体の縁部に配置され、押す、はじく、ひねる、ねじる、つかむ等により加圧され伸長した際に、当該移動体に当接して該移動体を一の方向に押動かして移動させるゴム等による一の弾性体と、を備えることを特徴とする。
【０００７】
本発明の画像表示体は、複数のレンズにより構成されたレンズシート、例えば、複数のシリンドリカルレンズの配列により構成されたレンチキュラーシート又は複数の平凸レンズの配列により構成された平凸レンズシートと、前記レンズシートの前記レンズの凸形状を有しない面に配置され、前記レンズと作用して虚像を表示させる複数の表示用画像が形成された画像形成媒体により構成された画像表示体であって、前記レンズシートを含む移動体と、当該移動体の縁部に配置され、押す、はじく、ひねる、ねじる、つかむ等により加圧され伸長した際に、当該移動体に当接して該移動体を一の方向に押動かして移動させるゴム等による一の弾性体と、を備えることを特徴とする。
【０００８】
前記一の弾性体に前記移動体を結合する結合部を備え、前記移動体が前記一の方向に押動かされた後に、前記加圧が解除された場合に、前記一の弾性体は、前記結合部を介して、前記移動体を前記一の方向の反対方向へ付勢して前記移動体を押動かして移動させるよう構成してもよい。
【０００９】
前記移動体の前記縁部と対向する縁部に位置し、前記移動体が前記一の方向に押動かされた場合に、前記移動体に当接して、該移動体を前記一の方向の反対方向へ付勢する、例えば、弾性体、バネ、磁石等による付勢機構を備えてもよい。
【００１０】
前記移動体は、前記一の弾性体が伸長した際に、前記一の弾性体と当接して、該一の弾性体からの圧力を受ける一の補助部材を備えてもよい。
【００１１】
本発明の画像表示体が、前記移動体の前記縁部と対向する縁部に位置し、前記移動体が前記一の方向に押動かされた場合に、前記移動体に当接して、該移動体を前記一の方向の反対方向へ付勢する付勢機構を備える場合に、前記移動体は、前記移動体が前記一の方向に押動かされた際に、前記付勢機構に当接して、前記一の方向の反対方向への付勢力を前記移動体に伝達する他の補助部材を備えてもよい。
【００１２】
前記移動体の移動方向に沿って、前記移動体の移動を直進保持する中材等のガイド部を備えてもよい。
【００１３】
前記虚像を観察可能な面上に、前記一の弾性体への加圧領域を明示してもよい。
【００１４】
前記移動体の縁部に、複数の前記一の弾性体を備え、前記複数の一の弾性体は、少なくとも２種の異なる材質の弾性体を含むよう構成してもよい。
【００１５】
前記一の弾性体をゴム材料又は熱可塑性エラストマーにより構成し、本発明の画像表示体が、前記移動体の前記縁部と対向する縁部に位置し、前記移動体が前記一の方向に押動かされた場合に、前記移動体に当接して、該移動体を前記一の方向の反対方向へ付勢する付勢機構を備える場合には、該付勢機構をゴム材料又は熱可塑性エラストマーより構成してもよい。
【発明の効果】
【００１６】
本発明によれば、操作者が所定部を（又は、所定加圧領域を）指で加圧するだけで、レンズと表示用画像との相対位置を僅かにずらすことを可能にし、虚像を変化させて楽しむことができる画像表示体を実現できる。
【図面の簡単な説明】
【００１７】
【図１】本発明の画像表示体の平面図である。
【図２】画像表示体の展開時の状態を示す平面図である。
【図３】図２のＡ−Ａ断面図である。
【図４】中材の平面図である。
【図５】移動体の平面図である。
【図６】（ａ）〜（ｄ）は、画像表示体の使用状態を示す説明図である。
【図７】他の実施形態１による画像表示体の平面図である。
【図８】他の実施形態２の説明図である。
【図９】他の実施形態３の説明図である。
【図１０】他の実施形態４の説明図である。
【図１１】他の実施形態５の説明図である。
【図１２】他の実施形態６の説明図である。
【図１３】他の実施形態７の説明図である。
【図１４】他の実施形態８の説明図である。
【図１５】他の実施形態９による画像表示体の要部断面図である。
【図１６】他の実施形態１０による画像表示体の平面図である。
【図１７】他の実施形態１０の説明図である。
【図１８】他の実施形態１１の説明図である。
【図１９】他の実施形態１１による画像表示体の要部断面図である。
【図２０】他の実施形態１２の説明図である。
【図２１】他の実施形態１２による画像表示体の要部断面図である。
【図２２】他の実施形態１３の説明図である。
【図２３】他の実施形態１３による画像表示体の要部断面図である。
【図２４】他の実施形態１４による画像表示体の要部断面図である。
【図２５】他の実施形態１４の説明図である。
【図２６】他の実施形態１４のベースの説明図である。
【図２７】本発明をグリーティングカードに適用した場合の展開時の状態を示す平面図である。
【図２８】グリーティングカードの要部断面図である。
【図２９】グリーティングカードの平面図である。
【図３０】カバーに絵を描いた場合の展開時の状態を示す平面図である。
【図３１】レンズシートに絵を描いた場合の展開時の状態を示す平面図である。
【図３２】移動体の平面図である。
【発明を実施するための形態】
【００１８】
本発明の実施の形態について、図面を参照して説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１９】
図１は、本発明の画像表示体の平面図である。図２は、画像表示体の展開時の状態を示す平面図である。図３は、図２のＡ−Ａ断面図である。
【００２０】
本実施形態による画像表示体１０は、複数のレンズ３２ａにより構成されたレンズシート３２と、レンズシート３２のレンズ３２ａを有しない面に配置され、レンズ３２ａと作用して虚像を表示させる複数の表示用画像３７ａが形成された画像形成媒体３６と、画像形成媒体３６を含む移動体３４の縁部に位置し、加圧され伸長した場合に、移動体３４に当接して、移動体３４を一の方向に押動かす一の弾性体としての弾性体４０ａを必須の構成とする。なお、図において、構成を理解し易くするためにレンズ３２ａ及び表示用画像３７ａの数は省略して図示している。
【００２１】
図１のように、画像表示体１０は、画像表示体１０を構成する基材２０の表面に、虚像を表示する表示部３０を備える。
図２のように、基材２０は、ベース２２とカバー２４とから成る。基材２０の材料は、板紙、プラスティック等である。
カバー２４には、窓２４ａが切抜き形成されている。各谷折り線２５で折り曲げられ、ベース２２にカバー２４が折り重なると、画像表示部３０が形成される。すなわち、窓２４ａから、ベース２２に備えたレンズシート３２の各レンズ３２ａ及び画像形成媒体３６の表示用画像３７ａによる虚像を観察することができる。図２の例では、ベース２２の貼り付け部２２ａ、中材２６ａ及び２６ｂがカバー２４に接着又は粘着等により貼り付けられる。なお、窓２４ａに、透明な保護シートを備えてレンズシート３２を保護するよう構成してもよい。また、窓２４ａに絵が描かれた透明フィルム等を備え、レンズシート３２からの虚像と共に楽しむことができるよう構成してもよい。
【００２２】
ベース２２には、ガイド部としての中材２６ａ、２６ｂが貼り付けられる。図４は中材２６ａ及び２６ｂの平面図である。中材２６ａ及び２６ｂと移動体３４との位置関係を説明するため移動体３４も省略して図示している。
中材２６ａ及び２６ｂは、移動体３４を移動方向に直進保持するガイド部として機能する。中材２６ａ及び２６ｂと、移動体３４の移動方向に直行する辺との間に、間隙Ｘａ、Ｘｂを備える。移動体３４は、ベース２２とレンズシート３２の間に平行移動可能に積層される。図２乃至図４の例では、移動体３４を中材２６ａと中材２６ｂの間を左右方向に安定して移動させることができる。
移動体３４は、中材２６ａ及び２６ｂとの間隙Ｘｂだけ移動させることができる。組み立ての際には、中材２６ａ及び２６ｂもカバー２４に接着又は粘着等により貼り付けられる。
なお、図３にて、レンズシート３２と、移動体３４との間に、便宜上隙間を図示したが、レンズシート３２と移動体３４との間は接しているほうが、より鮮明な虚像を観察できる。従って、移動体３４を移動させることができる限りにおいて、レンズシート３２と移動体３４とを密着させることが好ましい。
【００２３】
また、中材２６ａ及び２６ｂは、レンズシート３２の固定部材として機能する。レンズシート３２は、例えば、複数のシリンドリカルレンズから成るレンチキュラーシートである。図４中、破線で示す部分にレンズシート３２が積層され、レンズシート３２の一部が、中材２６ａ及び２６ｂの一部に貼り付けられる。図４の例では、中材２６ａ及び２６ｂの網掛け部分２６ｃにおいて、レンズシート３２が貼り付けられる。なお、レンズシート３２を固定できれば、レンズシート３２を、中材２６ａ又は２６ｂの何れか一方の網掛け部分２６ｃとのみ貼り付けてもよい。
【００２４】
本実施形態の移動体３４は、画像形成媒体３６を必須の構成とする。図５は、移動体３４の平面図である。
画像形成媒体３６には、表示用画像３７ａが形成されている。具体的には、画像形成媒体３６に、表示用画像３７ａが印刷又は転写等により形成された画像形成層３７が形成される。画像形成層３７は、画像形成媒体３６のレンズシート３２の側に設けられる。表示用画像とは、レンズと表示用画像の相対位置が変化することで、表示する虚像が変化（移動、図形形状の変化等）する画像である。表示用画像は変化しない部分があってもよい。
【００２５】
一の弾性体としての弾性体４０ａは、移動体３４の縁部に隣接配置され、ベース２２に固定される。弾性体４０ａをベース２２方向に押圧することにより、弾性体４０ａが移動体３４方向に伸長し、移動体３４に当接して当該移動体３４を、レンズ３２ａ及び表示用画像３７ａの配列方向である一の方向に押動して移動させる。図２及び図３では、弾性体４０ａに押された移動体３４が、中材２６ａ及び２６ｂに沿って、図中左方向に平行移動する。
【００２６】
本実施形態の画像表示体１０は、移動体３４の縁部と対向する縁部に位置し、移動体３４が一の方向に押動かされた場合に、移動体３４に当接して、移動体３４を一の方向の反対方向へ付勢する付勢機構としての弾性体４０ｂを備える。
【００２７】
弾性体４０ｂは、移動体３４の弾性体４０ａが配置された縁部と対向する縁部に隣接配置され、ベース２２に固定される。弾性体４０ａによって移動体３４が押動かされた場合に、弾性体４０ｂは収縮して、移動体３４を一の方向の反対方向に付勢するよう機能する。図２及び図３では、図中右方向に付勢力が働く。そして、弾性体４０ａへの押圧を解除すると、弾性体４０ａが元の形状に戻り、また、弾性体４０ｂの付勢力により、移動体３４が、中材２６ａ及び２６ｂに沿って、元の位置へ戻る。
【００２８】
なお、弾性体４０ａへの押圧前は、弾性体４０ａ及び４０ｂと移動体３４との接触、非接触は問わない。少なくとも、弾性体４０ａが押圧されて伸長したときに、弾性体４０ａ及び４０ｂが移動体３４と当接すればよい。しかし、弾性体４０ａの押圧前も、弾性体４０ａ及び４０ｂと移動体３４が当接している状態であるほうが、弾性体４０ａ及び４０ｂからの圧力を移動体３４が受けやすくなるためより好ましい。なお、当接している状態とは、弾性体４０ａ及び４０ｂの一方又は両方が、移動体３４に接している状態であり、接着又は粘着される状態を含む。また、例えば、伸びの良い弾性体を使用する場合には、移動体３４と１ｍｍ程度離して隣接させてもよい。
【００２９】
移動体３４に、力の伝達を補助する補助部材３８を設けてもよい。補助部材３８は、弾性体４０ａが伸長した際に、弾性体４０ａと当接して、弾性体４０ａからの圧力を受け移動体３４へ力を伝達しやすくさせる補助部材として機能する。本実施形態では、図３等に示すように、２つの補助部材３８（一の補助部材及び他の補助部材）を設け、移動体３４が、弾性体４０ａからの圧力、及び、弾性体４０ｂからの付勢力を受けることができるように構成した。この構成により、移動体３４が薄い場合であっても、一の補助部材としての補助部材３８が弾性体４０ａに当接して、移動体３４は弾性体４０ａからの圧力を受けやすくなり、また、他の補助部材としての補助部材３８が弾性体４０ｂに当接して、弾性体４０ｂからの付勢力を受け易くなる。なお、本実施形態では、補助部材３８を設けたが、画像形成媒体３６と一体型としてもよい。例えば、画像形成媒体３６の左右の縁部を折り曲げ、補助部材として機能させてもよい。また、移動体３４自身に厚みがあり、弾性体４０ａからの圧力、及び、弾性体４０ｂからの付勢力を十分に受けることができれば、補助部材３８はなくてもよい。
【００３０】
画像表示体１０の表示部３０側に、弾性体４０ａへの加圧が可能な加圧領域を明示してもよい。図１に示す加圧領域としての押圧領域２０ａを指で押圧することにより、押圧領域２０ａ下の弾性体４０ａを加圧することができる。なお、押圧領域２０ａは必ずしも明示する必要はない。押圧領域２０ａを明示しない場合、例えば、操作者自身が押圧する場所を探すような楽しみ方も可能になる。
【００３１】
以上の構成により、操作者は、画像表示体１０を持ち、指で押圧領域２０ａを押すだけで、いわば、シンプルなボタン操作のみで、移動体３４とレンズシート３２の相対的な位置を移動させることが可能となり、表示部３０の虚像を観察することができる。また、押圧するスピード及び押圧する力を変化させることで、一定時間の弾性体の伸長量が変わることで虚像の変化の様子が変わり、その変化の様子を楽しむことができる。しかも、押圧を解除することで、移動体３４は押圧によって移動する前の位置に戻る。
図６の（ａ）〜（ｄ）は、画像表示体の使用状態を示す説明図である。押圧領域２０ａを指で押圧すると、弾性体４０ａに力が伝わり、弾性体４０ａが伸長して移動体３４を平行移動させる。これにより、画像表示媒体３６の表示用画像３７ａとレンズ３２ａの作用により、図６（ａ）、（ｂ）、（ｃ）、（ｄ）の順で、表示部３０の虚像が徐々に変化する。押圧領域２０ａへの押圧を解除すると、移動体３４が元の位置に戻るに従い、図６（ｄ）、（ｃ）、（ｂ）、（a）の順で、表示部３０の虚像が徐々に変化する。
【００３２】
なお、本実施形態では、弾性体４０ａに対して押圧するよう構成したが、弾性体４０ｂを押圧するよう構成してもよい。つまり、弾性体４０ｂの押圧により、弾性体４０ｂを伸長させ移動体３４を押動して平行移動させる。そして、弾性体４０ｂへの押圧解除により、弾性体４０ｂが元の形状に戻り、また、弾性体４０ａの付勢力により、移動体３４が元の位置へ戻る。
さらに、弾性体４０ａ及び弾性体４０ｂの両方を押圧できるよう構成してもよい。弾性体４０ａへの押圧と、弾性体４０ｂへの押圧を交互に行うことで、より速い動きの虚像を楽しむことができる。押圧された弾性体が一の弾性体として機能し、移動した移動体３４から力を加えられて収縮した弾性体が、平行移動された方向の反対方向へ付勢する付勢機構として機能する。
弾性体４０ａ及び４０ｂの材料は、例えば、合成ゴム、天然ゴム等のゴム材料又は熱可塑性エラストマー等である。弾性体４０ａ及び４０ｂの材料は、少なくとも、弾性性質を有し弾性体として機能できればよい。分類上ゴム系統には入らない弾性体等、ゴム材料又は熱可塑性エラストマー等の材料以外の材料で構成されてもよい。加圧力に対する伸長量、可撓性、最大移動量である間隙Ｘａ、Ｘａ等を考慮して、最適な材料、厚さ、サイズを適宜選択可能である。各弾性体４０ａ及び４０ｂを異なる材料、異なる厚さ、異なるサイズで形成してもよい。異なる組み合わせで動く量の調節をすることができる。
【００３３】
図７は、他の実施形態１による画像表示体の平面図である。
上述した例では、カバー２４に押圧領域２０ａを示したが、カバー２４の弾性体４０ａに対応する箇所に孔２４ｂを設け、弾性体４０ａを直接押圧できるよう構成してもよい。また、孔２４ｂに押しボタン等の部材を設けて当該押しボタンを介して弾性体４０ａを押すことができるよう構成してもよい。
【００３４】
図８は他の実施形態２の説明図、図９は他の実施形態３の説明図、図１０は他の実施形態４の説明図である。
図８のように、弾性体４０ｃ、４０ｄを、移動体３４の移動方向に直行する方向の縁部の端から端まで、当該弾性体４０ｃ及び４０ｄに隣接させて構成してもよい。これにより、移動体３４の縁部の端から端にかけて押せる領域を広げることができる。また、図９のように、中材２７を一部材としてもよい。これにより、製造工程を短縮できる。さらに、図１０のように、他の実施形態２及び他の実施形態３を組み合わせてもよい。
【００３５】
図１１乃至図１３は弾性体の形状の変形例である。図１１は他の実施形態５の説明図であり、図１２は他の実施形態６の説明図であり、図１３は他の実施形態７の説明図である。
図１１のように、弾性体４０ｅ、４０ｆの形状を円形にしてもよい。
また、図１２のように、弾性体４０ｇ、４０ｈを三角形にしてもよい。三角形の一の頂点と三角形の重心とを結ぶ方向が、移動体３４の移動方向と同一となるよう配置させる。
さらに、図１３のように、移動体３４の縁部に配置させる弾性体４０ｅに関し、移動体３４の縁部に孔３４ａを設け、当該孔３４ａから弾性体４０ｅを突出させるよう構成してもよい。
このような構成により、弾性体の材質、弾性体の材質、形状、厚さ、サイズを変えることで弾性体の伸張量を変化させ、虚像の変化スピードを変えることができる。図１１乃至１３の説明では、弾性体の形状を変えているだけであるが、実際には形状を変えることと共に、材質、厚さ、サイズを変えることを組み合わせて行ってもよい。
【００３６】
図１４は他の実施形態８の説明図である。他の実施形態８は、押圧される弾性体４０ａを、画像表示体の縁端部に対応する位置に配置した例である。
例えば、図１４のように、弾性体４０ａを図中右下位置とすることで、押圧領域２０ａが画像表示体１０（図１参照）の右下付近となる。これにより、操作者が画像表示体１０の右下角付近を指で押して楽しむことができるので、右下に操作ボタンがあるような携帯ゲーム機を模したデザインにすることもできる。
【００３７】
図１５は、他の実施形態９による画像表示体の要部断面図である。他の実施形態９は、移動体３４の縁部に配置させる弾性体に関し、弾性体４０ｉ、４０ｊを移動体３４の縁部を挟み込こむよう構成した例である。このような構成により、移動体３４と一体化することができるので、押圧の力が伝わりやすくなる。
【００３８】
図１６は、他の実施形態１０による画像表示体の平面図、図１７は、他の実施形態１０の説明図である。他の実施形態１０は、複数の押圧部２１ａ〜２１ｄを設けた例である。
図１７のように、左右に夫々複数の弾性体４０ｋ〜４０ｎを設ける。押圧部２１ａ〜２１ｄは、それぞれ、弾性体４０ｋ〜４０ｎに対応し、加圧できるようになっている。弾性体４０ｌ又は弾性体４０ｎが本発明の一の弾性体として機能する場合には、弾性体４０ｋ又は弾性体４０ｍが付勢機構として機能する。弾性体４０ｋ又は弾性体４０ｍが一の弾性体として機能する場合には、弾性体４０ｌ又は弾性体４０ｎが付勢機構として機能する。
このような構成により、弾性体４０ｋ〜４０ｎの材質を異ならせることにより、押圧部２１ａ〜２１ｄごとに違うスピードで変化する虚像を楽しむことが可能になる。弾性体４０ｋ〜４０ｎを、少なくとも２種の異なる材質の弾性体を含んで構成してもよい。
【００３９】
図１８は、他の実施形態１１の説明図であり、図１９は、他の実施形態１１による画像表示体の要部断面図である。他の実施形態１１は、弾性体４０ａにより移動体３４が一の方向に押動かされた場合に、移動体３４を反対方向に付勢させる付勢機構の一例としてバネ４２を用いた例である。
図１８、図１９のように、中材２８にバネ４２を係止する係止部２８ａを備える。そして、バネ４２の一端を係止部２８ａに係止し、バネ４２の他端を移動体３４に係止する。
【００４０】
図２０は、他の実施形態１２の説明図であり、図２１は、他の実施形態１２による画像表示体の要部断面図である。他の実施形態１２は、弾性体４０ａに移動体３４を結合する結合部を備えた構成である。
移動体３４が弾性体４０ａにより押動かされた後に、弾性体４０ａへの押圧が解除されると、弾性体４０ａは、結合部４４を介して、移動体３４を図中右方向へ付勢して移動体３４を押動かして元の位置に戻すことができる。弾性体が一つだけで構成できるため、コストダウンとなる。また、移動体３４と弾性体４０ａが一体化するので動きが伝わり易くなる。
【００４１】
図２２は、他の実施形態１３の説明図であり、図２３は、他の実施形態１３による画像表示体の要部断面図である。他の実施形態１３は、弾性体４０ａにより移動体３４が一の方向に押動かされた場合に、移動体３４を反対方向に付勢させる付勢機構の一例として磁石を用いた例である。
図２２、図２３のように、中材２８に磁石４３ａを備え、磁石４３ａと同じ磁極の磁石４３ｂを移動体３４に備える。このような構成により、移動体３４が押動かされた場合に、磁石４３ａと磁石４３ｂの反発しあう磁力が働き、移動体３４を図中右方向へ付勢して元の位置に戻すことができる。
【００４２】
図２４は、他の実施形態１４による画像表示体の要部断面図、図２５は、他の実施形態１４の説明図、図２６は、他の実施形態１４のベース２２の説明図である。他の実施形態１４は、レンズシート３２を移動体３５として機能させた例である。
ベース２２を本発明の画像形成媒体として機能させ、ベース２２のレンズシート３２の側に複数の表示用画像３７ａが形成された画像形成層３７を設けた。移動体３５としてのレンズシート３２が移動する際のガイドとなる中材２６ａ、２６ｂを設ける。
なお、レンズシート３２が薄い場合には、レンズシート３２の端部に図３等に示すような補助部材を設けてもよい。
【００４３】
上述した各実施例では、レンズシート３２としてレンチキュラーシートを用いたが、複数の平凸レンズを縦横に所定間隔で配列して構成された平凸レンズシートを用いてもよい。レンズと表示用画像により、虚像を観察することができるレンズシートであればよい。また、画像形成媒体がカード形状の場合を例に図示して説明したが、本発明はカード形状には限定されない。
【００４４】
本発明によれば、弾性体を選定することにより、レンズシートと画像形成媒体を僅かに相対的に平行移動させることが可能になる。従って、例えば、レンズと表示用画像とが略一対一に対応し、レンズピッチと、表示用画像のピッチが僅かに異なる構成により、スムーズな虚像を観察可能にした従来技術（例えば、本出願人による特許第５２２４４８９号公報）を利用する場合、特に有用である。当該特許第５２２４４８９号公報は、視点を移動させることで絵柄の変化を得ることができる構成であるのに対し、本発明は視点を固定したままで絵柄の変化が得られる。
【００４５】
また、弾性体への加圧に関し、指で押圧する方法を例に説明したが、加圧により弾性体を伸長させて移動体を移動させることができればどのような加圧方法でもよい。例えば、画像表示体の基材を可撓性のある紙等の材料で構成し、画像表示体の基材自体をひねる、ねじる、つかむ等して、弾性体を伸長させてもよい。また、例えば、カバー上から弾性体部分（図１の押圧領域２０ａに相当）を指で弾いてもよい。画像表示体を可撓性が高い材料で構成することで、例えば、ワインボトルのような曲面に貼り付けることも可能となる。
【００４６】
グリーティングカードに本発明を適用した実施例について説明する。
例えば、図１〜図６を用いて説明した画像表示体１０をグリーティングカードに適用する場合、レンズシート３２上に絵が描かれたフィルム等を配し、当該絵が窓２４ａの画像表示部３０から観察できるように構成する。
図２７は、本発明をグリーティングカードに適用した場合の展開時の状態を示す平面図、図２８は、グリーティングカードの要部断面図、図２９はグリーティングカードの平面図である。本実施例では、レンズシート３９として平凸レンズシートを用いる。
レンズシート３９は、複数の平凸レンズ３９ａ（以下、レンズ３９ａと言う。）が縦横に所定間隔で配列して構成される。各レンズ３９ａと表示用画像３７ａは略一対一に対応する。
グリーティングカードのカバー２４の窓２４ａに絵（雪だるま）が描かれたフィルム５０を配し、ベース２２に折り重ねる。図２９のように、画像表示部３０には、フィルム５０に描かれた絵（雪だるま）と、各レンズと各表示用画像による虚像（雪）とが、共に観察される。虚像（雪）が、絵（雪だるま）の背景画として観察でき、また、変化させて楽しむことができる。
【００４７】
なお、基材２０をＰＥＴ、ＰＰ等のプラスティック材で作成する場合、少なくとも、カバー２４を、ＰＥＴ、ＰＰ等のプラスティック材等の透明部材で構成する場合には、窓２４ａを設けなくともよい。図３０のように、カバー２４をベース２２に折り重ねた際に、表示部３０に相当する部分に直接絵（雪だるま）を描いてもよい。
【００４８】
さらに、レンズシートの裏面（レンズの凸形状を有しない側）に絵（雪だるま）を描いてもよい。図３１のように、レンズシート３９の表面（凸形状を有する側）から裏面の絵（雪だるま）を視認できればよい。なお、図３０では、窓２４ａを設けたが、カバー２４が透明部材の場合には、窓２４ａは設けなくともよい。
【００４９】
また、移動体の画像形成層に、絵（雪だるま）の画像を形成してもよい。
図３２は、移動体３４の平面図である。図３２の移動体３４は、画像形成層３７に、虚像（雪）を表示するための複数の表示用画像３７ａと、絵（雪だるま）の画像３７ｂを形成した例である。複数の表示用画像３７ａは、複数のレンズ３９ａと共に虚像を表示させる働きをするが、絵（雪だるま）の画像３７ｂは複数のレンズ３９ａの影響を受けることなく、鮮明に視認できる程度のサイズで形成される。加圧により絵（雪だるま）も一緒に多少は動くが、レンズ越しには虚像（雪）の動きが大きくなるため、絵（雪だるま）の背景で雪が舞うような演出を楽しむことができる。
【００５０】
以上、図２７乃至図３２では、平凸レンズシート３９を用いて、複数のレンズ３９ａ及び表示用画像３７ａに基づいて表示される虚像（雪）と、レンズ３９ａの影響を受けない絵（雪だるま）を共に楽しむ場合の例を説明した。
なお、レンズシートとしてレンチキュラーシートを用いる場合には、絵（雪だるま）は、虚像（雪）を表示するための表示用画像と共に１回の画像処理で構成することができる。
具体的には、画像形成媒体を移動体３４とする場合には、図３２を用いて上述した通りである。一方、レンズシートを移動体３５とする場合には（図２４乃至図２６）、ベース２２を本発明の画像形成媒体として機能させ、ベース２２のレンズシート３２の側に虚像（雪）を表示するための複数の表示用画像３７ａと、絵（雪だるま）の画像３７ｂが形成された画像形成層３７を設ければよい。
【００５１】
本発明の適用範囲は上記実施形態に限定されることはない。本発明は、操作者が指で加圧するだけで、レンズと表示用画像とを、安定的に、僅かにずらすことを可能にし、虚像を変化させて楽しむことができる画像表示体に対し、広く適用することができる。例えば、自動車型のカードにおいて、指で加圧することで自動車の模様をかえることができるカードを実現できる。また、歌詞カードにおいて、指で加圧することで、１番の歌詞表示から、２番の歌詞表示へと変化して表示されるよう構成することもできる。さらに、クイズカードにおいて、指で加圧することにより、クイズの答えが表示されるよう構成することもできる。
その他、カードゲーム、ポストカード、ポスター、パンフレット、パッケージ、絵本、書籍、人形、おもちゃ、雑貨、機械器具、さらには屋内外で展示される広告パネル、案内表示板、デジタルサイネージ、等に本発明の画像表示体を適用することもできる。
【符号の説明】
【００５２】
１０・・・画像表示体
３２、３９・・・レンズシート
３２ａ、３９ａ・・・レンズ
４０ａ・・・弾性体（一の弾性体）
４０ｂ・・・弾性体（付勢機構）
３４、３５・・・移動体
３６・・・画像形成媒体
３７ａ・・・表示用画像
４２・・・バネ（付勢機構）
４３ａ、４３ｂ・・・磁石（付勢機構）
４４・・・結合部
３８・・・補助部材
２０ａ・・・押圧領域（加圧領域）
【要約】
【課題】  操作者が所定部を（又は、所定加圧領域を）指で加圧するだけで、レンズと表示用画像との相対位置を僅かにずらすことを可能にし、安定性に優れ、虚像を変化させて楽しむことができる画像表示体を提供する。
【解決手段】  複数のレンズにより構成されたレンズシートと、前記レンズシートのレンズの凸形状を有しない面に配置され、前記レンズと作用して虚像を表示させる複数の表示用画像が形成された画像形成媒体により画像表示体１０を構成する。画像形成媒体を含む移動体と、当該移動体の縁部に配置され、加圧され伸長した際に、移動体に当接して該移動体を一の方向に押動かして移動させる一の弾性体と、を備える。
【選択図】図１【図１】
0005608306.tif 000002
【図２】
0005608306.tif 000003
【図３】
0005608306.tif 000004
【図４】
0005608306.tif 000005
【図５】
0005608306.tif 000006
【図６】
0005608306.tif 000007
【図７】
0005608306.tif 000008
【図８】
0005608306.tif 000009
【図９】
0005608306.tif 000010
【図１０】
0005608306.tif 000011
【図１１】
0005608306.tif 000012
【図１２】
0005608306.tif 000013
【図１３】
0005608306.tif 000014
【図１４】
0005608306.tif 000015
【図１５】
0005608306.tif 000016
【図１６】
0005608306.tif 000017
【図１７】
0005608306.tif 000018
【図１８】
0005608306.tif 000019
【図１９】
0005608306.tif 000020
【図２０】
0005608306.tif 000021
【図２１】
0005608306.tif 000022
【図２２】
0005608306.tif 000023
【図２３】
0005608306.tif 000024
【図２４】
0005608306.tif 000025
【図２５】
0005608306.tif 000026
【図２６】
0005608306.tif 000027
【図２７】
0005608306.tif 000028
【図２８】
0005608306.tif 000029
【図２９】
0005608306.tif 000030
【図３０】
0005608306.tif 000031
【図３１】
0005608306.tif 000032
【図３２】
0005608306.tif 000033